(57)【要約】【課題】部品点数が少なくて、操作が簡単であり、多大なコストを必要としない２つのラックの調整装置が提供。【解決手段】本発明の調整装置１は、長手方向に沿って第一のラック２１に装着する添え具３を備え、添え具３の一端には、添え具３を第一のラック２１に取付ける取付け装置が備えられ、添え具３の他端には、第二のラック２２に挿入する偏心ボルト２５を受容する、添え具３の長手方向に直角な方向の径の方が大きい長孔７が備えられていることを特徴としている。【選択図】図１
2015057567.tif 000002
【特許請求の範囲】
【請求項１】
長手方向に隣接して配置される２つのラック（２１、２２）の間隔を調整する調整装置（１）であって、
長手方向に沿って第一のラック（２１）に装着する添え具（３）を備え、
添え具（３）の一端には、添え具（３）を第一のラック（２１）に取付ける取付け装置が備えられ、
添え具（３）の他端には、第二のラック（２２）に挿入する偏心ボルト（２５）を受容する、添え具（３）の長手方向に直角な方向の径の方が大きい長孔（７）が備えられていることを特徴とする調整装置。
【請求項２】
前記取付け装置は、第一のラック（２１）のピン用開口に配置されるピン（６）を受容するピン孔（５）を備え且つ／又は第一のラック（２１）のピン用開口（４２）に配置されるピン（６）を備えていることを特徴とする請求項１に記載の調整装置。
【請求項３】
ピン（６）は、ピン孔（５）に圧入されることを特徴とする請求項２に記載の調整装置。
【請求項４】
偏心ボルト（２５）は、長孔（７）に受容されることを特徴とする請求項１ないし請求項３のいずれか１項に記載の調整装置。
【請求項５】
偏心ボルト（２５）は、長孔（７）に受容される偏心ボルト部（２７）及び／又は第二のラック（２２）に受容される円形ボルト部（３１）を含むことを特徴とする請求項４に記載の調整装置。
【請求項６】
偏心ボルト部（２７）の径は、長孔（７）の幅よりも小さいか、又は少なくとも長孔（７）の幅に相当することを特徴とする請求項５に記載の調整装置。
【請求項７】
添え具（３）は、添え具（３）の長手方向に平行な、添え具（３）を第一のラック（２１）及び／又は第二のラック（２２）に案内する少なくとも１つの案内縁（１１、１３）を含むことを特徴とする請求項１ないし請求項６のいずれか１項に記載の調整装置。
【請求項８】
添え具（３）の中間域の側面に凹部（３３）を備えていることを特徴とする請求項１ないし請求項７のいずれか１項に記載の調整装置。
【請求項９】
添え具（３）の長孔（７）と前記取付け装置との間に少なくとも１つの貫通孔（９）を備えていることを特徴とする請求項１ないし請求項８のいずれか１項に記載の調整装置。
【請求項１０】
請求項１ないし請求項９のいずれか１項に記載の調整装置（１）を用いて長手方向に隣接して配置される２つのラック（２１、２２）の間隔を調整する方法であって、
添え具（３）が２つのラック（２１、２２）に装着され、取付け装置を用いて第一のラック（２１）に取付けられる工程、及び
偏心ボルト（２５）が第二のラック（２２）に挿入される工程を含み、
第一のラック（２１）が予め台座に固定され、挿入された偏心ボルト（２５）の回転により第二のラック（２２）の長手方向の位置が調整されることを特徴とする方法。
【発明の詳細な説明】
【技術分野】
【０００１】
本発明は、前後に続いて配置されるラックの間隔を調整する調整装置及びその調整装置の使用方法に関する。
【背景技術】
【０００２】
従来から、工作機械の台座に取付ける、長手方向に前後に続くか又は長手方向に隣接するラックは周知である。ラックの長さには制限があるので、２つ又はそれ以上のラックは長手方向に前後に続けて配置される。従って、隣接するラック間の歯の間隔が正確に維持されるように、ラック間の突き合わせの調整が必要となる。
【０００３】
２つのラックの長手方向の調整するために、特許文献１には２つのラックを突き合わせる組立工具が開示されている。組立工具のネジ山により、組立工具の長さが変更でき、２つのラックを長手方向に調整できる。
【０００４】
従来の調整装置は、多数の部品を備えて手間が掛るとの問題点があった。
【先行技術文献】
【特許文献】
【０００５】
【特許文献１】独国特許発明第１０  ２００６  ０１４  ５４０号明細書
【発明の概要】
【発明が解決しようとする課題】
【０００６】
本発明は、ラックの組立て、特にラックの長手方向の間隔の調整を補助する、可能な限り簡単で信頼性があり簡単に操作できる調整装置を提供することを目的としている。
【課題を解決するための手段】
【０００７】
上記課題は、下記のように構成することにより解決される。
【０００８】
（１）長手方向に隣接して配置される２つのラックの間隔を調整する調整装置であって、長手方向に沿って第一のラックに装着する添え具を備え、前記添え具の一端には、前記添え具を第一のラックに取付ける取付け装置が備えられ、前記添え具の他端には、第二のラックに挿入する偏心ボルトを受容する、前記添え具の長手方向に直角な方向の径の方が大きい長孔が備えられていることを特徴とする調整装置。
【０００９】
（２）前記取付け装置は、第一のラックのピン用開口に配置されるピンを受容するピン孔を備え且つ／又は第一のラックのピン用開口（４２）に配置されるピンを備えていることを特徴とする前記（１）に記載の調整装置。
【００１０】
（３）前記ピンは、ピン孔に圧入されることを特徴とする前記（２）に記載の調整装置。
【００１１】
（４）前記偏心ボルトは、前記長孔に受容されることを特徴とする前記（１）ないし（３）のいずれか１項に記載の調整装置。
【００１２】
（５）前記偏心ボルトは、前記長孔に受容される偏心ボルト部及び／又は第二のラックに受容される円形ボルト部を含むことを特徴とする前記（４）に記載の調整装置。
【００１３】
（６）前記偏心ボルト部の径は、前記長孔の幅よりも小さいか、又は少なくとも前記長孔の幅に相当することを特徴とする前記（５）に記載の調整装置。
【００１４】
（７）前記添え具は、前記添え具の長手方向に平行な、前記添え具を第一のラック及び／又は第二のラックに案内する少なくとも１つの案内縁を含むことを特徴とする前記（１）ないし（６）のいずれか１項に記載の調整装置。
【００１５】
（８）前記添え具の中間域の側面に凹部を備えていることを特徴とする前記（１）ないし（７）のいずれか１項に記載の調整装置。
【００１６】
（９）前記添え具の前記長孔と前記取付け装置との間に少なくとも１つの貫通孔を備えていることを特徴とする前記（１）ないし（８）のいずれか１項に記載の調整装置。
【００１７】
（１０）前記（１）ないし（９）のいずれか１項に記載の調整装置を用いて長手方向に隣接して配置される２つのラックの間隔を調整する方法であって、添え具が２つのラックに装着され、取付け装置を用いて第一のラックに取付けられる工程、及び偏心ボルトが第二のラック（２２）に挿入される工程を含み、第一のラックが予め台座に固定され、挿入された前記偏心ボルトの回転により第二のラックの長手方向の位置が調整されることを特徴とする方法。
【発明の効果】
【００１８】
本発明により、部品点数が少なくて、操作が簡単であり、多大なコストを必要としない調整装置が提供できるようになった。更に、事前に孔の間隔を調整しなくても、正確な調整が可能となる。
【図面の簡単な説明】
【００１９】
【図１】調整装置の一実施例の上面斜視図
【図２】図１に示す調整装置の裏面斜視図
【図３】調整装置により２つのラックの軸方向の間隔の調整方法を示す斜視図
【図４】図３に示す構成の断面図
【図５】調整装置の偏心ボルトの斜視図
【発明を実施するための形態】
【００２０】
本発明は、２つの前後に続いて配置されたラックの長手方向の間隔を調整する、添え具（Ｌａｓｃｈｅ）を備えた調整装置を含んで構成される。添え具は、第一のラックに隣接して第二のラックの長手方向に構築する部材であり、添え具の一端に第一のラックを取付ける取付け装置用のピン孔を備えている。更に、添え具はピン孔とは逆の端に、第二のラックに差し込む偏心ボルトを受容する、添え具の長手方向に対して直角の方向の径が大きな長孔を備えている。ラックの構築においては、長手方向は軸方向とも称される。この場合、ラックの軸方向とは、添え具の長手方向に平行な方向を示す。この方向は、ラックに沿って歯車が動く方向である。
【００２１】
本発明は、隣接する２つのラックの長手方向の間隔を調整する調整装置の使用にも関する。先ず、一方のラックを台座に固定する。次いで、添え具を第一及び第二のラックに装着し、取付け装置により第一のラックに取付ける。偏心ボルトは、第二のラックに挿入される。最初に、台座に固定されていないラックの長手方向の位置は、偏心ボルトの回転により調整される。通常は、他方のラックを予め長手方向に直角に固定又は操作する。このようにして、２つのラックの突き合わせの調整が簡単にできる。
【００２２】
更に、第一のラックのピン開口に配置すべきピンを準備しておく。ピンは、円形が通常であるが、例えば、四角形、六角形などの多角形でもよい。このようにして、添え具の長手方向が第一のラックに固定される。ピンが円形であると、添え具は、第一のラックに対して自由に回転できる。ピン用開口は、ラックを台座にピン止めするのに用いられる開口である。別の実施態様では、ピン用開口は、取付け装置を受容するラックに形成された孔又は開口に形成されたピン止めようの先細の孔である。
【００２３】
通常の実施態様の取付け装置は、ピン又はピンを受容するピン孔を含んで構成される。ピンは、別の部品として形成し、添え具のピン孔に圧入される。これにより、調整装置が簡単に製造でき、ピンを紛失することがない。別の実施態様では、ピンは交換可能である。実施形態によっては、段階状の径を有するピンを備えている。このようにして、ラックのピン用開口の径が異なっても適用できる。
【００２４】
添え具は、他端に長手方向に垂直に伸長する長孔を備えている。この長孔に、偏心ボルトが回転可能に挿入される。偏心ボルトは、円形ボルト部並びにボルト部に対して偏心して配置された偏心ボルト部を備えている。偏心ボルト部は、円形、カム又は板カムとして形成してもよい。円形断面は簡単に製造できる利点がある。長孔の幅は、偏心ボルトの偏心部の最大の径より大きいか又は少なくとも同一であることが好ましい。偏心ボルト部の径が１０ｍｍ又は１５ｍｍの偏心ボルトの実施態様では、長孔の幅、即ち長手方向の長さは、偏心ボルトの径よりも０．５ｍｍ、１．０ｍｍ又は１．５ｍｍ大きくする。しかしながら、長孔の幅は、偏心ボルトの径と同じか又は僅かに大きくてもよい。通常の実施態様では、長孔の幅は、偏心ボルトの径よりも、少なくとも２％、少なくとも５％又は少なくとも８％大きくする。これにより、強制的に力を加えなくても簡単に回転できる。通常の実施態様では、長孔の幅は、最大２５％、典型的には最大１５％大きくする。このようにして、大きすぎる遊びを避けられる。通常の偏心ボルトの偏心ボルト部の径は、小さくとも５ｍｍで、大きくとも５０ｍｍとする。偏心ボルトは、偏心ボルト部にトルク伝達手段を備えている。トルク伝達手段は、六角形の内孔又は六角形の外形を備えている。偏心ボルトは、その偏心ボルト部が第二のラックの円形の開口に嵌合し、その偏心ボルト部は添え具の長孔に配置されている。偏心ボルト部を受容する開口は、ラックをピン止めするピン孔としても用いられる。別の実施態様では、ラックに追加して穿孔した孔が、偏心ボルト部を受容する開口として用いられる。
【００２５】
添え具は、少なくとも１つの案内縁を備えている。案内縁は、ラックに向いた面に備えられる。別の実施態様では、それぞれが長手方向に平行な２つの案内縁を備えている。また、案内縁を備えない実施態様もある。この態様では、製造が簡単になる。
【００２６】
通常の実施態様では、案内縁は、添え具の長手方向に平行である。長手方向に平行な２つの案内縁を備えた実施態様では、このようにして２つの側面を備えた案内が得られる。少なくとも１つの案内縁は、側面にラックを抱えて案内部を形成し、添え具が長手方向に直角に動くこと、又は添え具の回転が防止される。通常の実施態様では、例えば凹部を備えた区域において、少なくとも１つの案内縁を中断して、材料の節約又は重量の軽減ができる。実施態様によっては、添え具の第二のラックを装着する長孔が位置する側にのみ案内縁を備えてもよい。
【００２７】
添え具の幅は、第一又は第二のラックの高さよりも大きくすることが多い。このようにして、案内縁の提供を軽減し且つ案内縁によるラックの抱え込みが可能となる。通常の実施態様では、添え具は、その長手方向の中間域に凹部を備えている。これにより、突き合わせ部におけるラックの調整が簡単にできる。この凹部に例えば、測定装置を簡単に装着できる。
【００２８】
通常の実施態様では、添え具は長孔と取付け装置の間に少なくとも１つの貫通孔を備えている。これにより、ラックを固定するために、取付け部材をラックに挿入又は装着することが可能となる。
【００２９】
工具を六角形の内孔又は外形に噛み合わせて、偏心ボルトを回転させることにより、第二のラックは、第一のラックに対して長手方向に動かされて、ラックと歯車との突き合わせ部分の間隔が適合されるように、２つのラックの長手方向の間隔が調整される。側方の縁は、案内として形成することが可能であり、偏心ボルトが回転する際に、添え具は長手方向に直角な方向に移動できない。
【００３０】
基本的に２つのラックは、約５ｍｍ又は３ｍｍまで互いに簡単に移動できる。偏心部並びに長孔は、それによる必要な移動に適合する。大きなラックは、小さなラックよりも大きな径を有する偏心部を備えている。
【００３１】
長手方向の調整の前に、第一のラックを台座に装着して、取付け部材を用いて第二のラックを長手方向に直角に取付けてもよい。次いで、好ましくはラックの歯を補完する歯を備えた組立工具により、２つのラックの長手方向の間隔を調整する。次いで、±０．１ｍｍの範囲、場合によっては、±０．０５ｍｍまで微調整する。突き合わせ域における歯の頂部間の間隔を測定するのに、円筒コロ並びに、独国特許出願公開第１０２００６００８４６１号明細書に記載された様な、円筒コロの挿入深さを測定する装置を用いる。歯に対しては、単に雌の形状を用いるか又は組立工具を用いることもある。組立工具並びに円筒コロが歯に挿入できるように、添え具の側面の中間部に凹部を備えることが多い。
【００３２】
本発明により、部品点数が少なくて簡単に操作でき、多大なコストを要しない調整装置が提供できるようになった。更に、事前に孔の間隔を調整しなくても、正確な調整が可能となる。また、ボルトの六角形の内孔は、ラックの取付け部材の六角形の内孔と同じなので、工具を追加する必要がない。
【００３３】
以下、図面を用いて本発明による実施例の特徴及び長所を説明する。個々の図面は、完全なものではなく、部分的に実施の態様又はそれに類似した態様を示したものである。特に同一の部材に対しては、新たに説明することなく同じ符号を用いた。
【実施例】
【００３４】
図１に本発明の調整装置１を示す。調整装置１は、添え具３を含んで構成される。添え具３は、一端にピン孔５を備えている。ピン孔５には、ピン６が圧入される。ピン６は、（図１には不図示の）ラックの開口に挿入されて用いられる。
【００３５】
ピンは調整装置の添え具と一体的に構成してもよい。これにより、ピンをピン孔に圧入する必要がなくなる。ピン及びピン孔、又は一体的に形成されたピンは、取付け装置によく用いられる部材である。取付け装置は、ネジ又はボルトを含んで構成されることもある。取付け装置は、添え具又は調整装置を第一のラックに係止又は取付けるのに用いられる。取付け装置、ピン孔又はピンが、添え具の一端に備えられている。
【００３６】
添え具３の一端には、ピン６を有するピン孔５が備えられている。添え具３の長手方向の他端には、長孔７が備えられている。長孔７は、添え具３の長手方向とは直角に長く伸長している。ここでは、添え具３が伸長している方向を長手方向とする。図１に示す添え具３の一端から他端に伸長する２つの二重線により、長手方向が判る。通常は、長手方向に合わせて、ラックの長手方向の間隔の調整を行う。
【００３７】
添え具３の中間域には、ピン孔５及び長孔７に平行な２つの貫通孔９が備えられている。この貫通孔９は、ラックを台座に固定又はピン止めするために、例えばネジ又はボルトのような取付け部材を通すか、又は工具と共に取付け部材に供するものである。
【００３８】
図１に示すように、調整装置１は、案内縁１１、１３を含んでいる。案内縁１１、１３は、添え具３又は調整装置１の側面に備えられ、調整装置１を使用する場合には、これらの縁に、ラックが装着される。案内縁１１は長孔７の側、案内縁１３はピン６の側に備えられている。
【００３９】
図２は、図１に示す調整装置１の裏面斜視図である。この図では、使用に際して、添え具を装着する案内縁１１、１３が完全に図示されている。
【００４０】
案内縁がラックを側面から抱えてラックを案内するように構成されている。この構成により、添え具の曲げ、又は軸方向に直角又は可動方向へのずれが防止される。
【００４１】
図２に示す案内縁１１、１３は、調整装置１の全長に渉って伸長せずに、中断されている。これの中断によっても、曲げ又はずれが防止されるので、案内縁１１、１３の機能が阻害されることは全く無い。全長に渉って伸長した案内縁を備えた実施態様も可能である。
【００４２】
更に、添え具３は、使用に際してラックの歯の側方近くに配置される凹部３３を側面に備えている。この凹部３３により、例えば円筒ころの様な手段をラックに近付けて、ラックの長手方向の間隔の較正が可能となる。
【００４３】
図３の斜視図は、図１及び２に示した調整装置１を、第一のラック２１及び第二のラック２２に装着した状態を示している。２つのラック２１、２２は、上面に複数の歯を備えている。ラックは、従来から周知であるので、これ以上の説明はしない。
【００４４】
ラック２１、２２を（図４に示すように）台座に取付けるため、図３では、ラックは六角形の内孔を有するネジである取付け部材２３を備えている。図３では、ネジの頭部全体が示されているが、他のネジは一部しか示されていない。
【００４５】
通常の実施態様では、ラックは、取付け部材により、台座に取付けられる。この場合、取付け部材はネジでもよいが、ラックの長手方向の調整には完全な締め付けはできない。ネジの頭を所定のトルクで締め付けることにより、ラックが固定される。実施態様によっては、台座にラックをより確実に固定するために、ピンを追加するか、ピンのみで固定してもよい。
【００４６】
図３には、調整装置１に用いる偏心ボルト２５も示している。後述するが、偏心ボルト２５は、図５に示す別の態様も考えられる。
【００４７】
図３から、偏心ボルト２５は、添え工具３の長孔７に受容される偏心ボルト部２７を備えていることがわかる。偏心ボルト２５は、偏心ボルト部２７にトルク伝達部２９も備えている。図３では、トルク伝達部２９は、外側が六角形状である。図５に示すように、トルク伝達部は、六角形の内孔を備えてもよい。
【００４８】
図５は、偏心ボルト部２７に六角形の内孔としてのトルク伝達部２９を備えた偏心ボルト２５を示す。偏心ボルト部２７に接して、偏心ボルト部２７に対しては偏心している円形ボルト部３１を備えている。
【００４９】
図３に示す貫通孔９は、取付け部材２３の装着に用いる。凹部３３は、例えば、円筒ころを用いてラック２１、２２の長手方向の間隔を較正するのに用いられる。
【００５０】
調整装置１を用いる際には、第一ラック２１又は第二のラック２２を台座に完全に固定する。次いで、他方のラックが長手方向に動かせる程度に台座に取付けられる。次いで、ピン６を第一のラック２１のピン用開口に挿入することにより、調整装置１がラック２１、２２に装着される。偏心ボルト２５の円形ボルト部３１が、第二のラック２２のピン用開口に挿入される。偏心ボルト２５の回転により、ラック２１とラック２２の間の間隔又は突合わせが調整されるので、従来の測定工具に代わって、間隔の較正に用いられる。
【００５１】
図４は、図３に示すラック２１、２２の歯から離れた位置の上面断面図であり取付け部材としてのネジ２３、ピン６並びに偏心ボルト２５の断面が示されている。
【００５２】
図４には、取付け部材２３、ネジによりラック２１、２２が取付けられた台座４０が示されている。
【００５３】
添え具３の貫通孔９は、工具を用いて取付け部材２３を装着するには十分であるが、貫通孔９を通して取付け部材２３を嵌入させるには、貫通孔９の径が不十分である。別の実施態様では、取付け部材を通過できるように、貫通孔の径をより大きくする。
【００５４】
図４には、ピン６及び偏心ボルト２５の円形ボルト部３１を嵌入するピン用開口４２及びピン用開口４３も示されている。この場合、ピン用開口４２は第一のラック２１に備えられている。円形ボルト部３１は、第二のラック２２のピン用開口４２に装着されている。図４の例では、ピン用開口４２及び４３は同一である。実施態様によっては、円形ボルト部３１及びピン６に対する開口の大きさが異なってよい。
【００５５】
以上図に基づいて、本発明を説明したが、本発明は実施例に限定されるものではなく、特許請求の範囲により決まる。
【符号の説明】
【００５６】
１    調整装置
３    添え具
５    ピン孔
６    ピン
７    長孔
９    貫通孔
１１、１３  案内縁
２１  第一のラック
２２  第二のラック
２３  取付け部材
２５  偏心ボルト
２７  偏心ボルト部
２９  トルク伝達部
３１  円形ボルト部
３３  凹部
４０  台座
４２  ピン用開口
４３  ピン用開口
【図１】
2015057567.tif 000003
【図２】
2015057567.tif 000004
【図３】
2015057567.tif 000005
【図４】
2015057567.tif 000006
【図５】
2015057567.tif 000007